(57)【要約】【課題】発電効率の向上が図られた蓄電モジュールを提供する。【解決手段】蓄電モジュール２では、端子板２０が導電材料で構成されているため、電極積層体２２の終端電極板部とその隣の電極積層体２２の終端電極板部とが、それらの間に介在する端子板２０において電気的に接続される。本実施形態では、電極積層体２２の片面正極電極板部２４Ａと、その隣の電極積層体２２の片面負極電極板部２５Ａとが、それらの間に介在する端子板２０において電気的に直列接続されている。換言すると、電極積層体２２同士の電気的接続には端子板２０のみが介在している。したがって、蓄電モジュール２では、電極積層体２２同士の電気的接続に従来技術で用いられる配線を必要とせず、配線の抵抗により発電効率の向上が阻害されることがない。そのため、蓄電モジュール２においては、高い発電効率を実現することができる。【選択図】図６
2019200885.tif 000002
【特許請求の範囲】
【請求項１】
導電材料で構成され、平行に対面するように配置された複数の端子板と、
前記複数の端子板の隣り合う端子板の間にそれぞれ配置され、正極が設けられるとともに電気的に互いに接続された複数の正極電極板部と、負極が設けられるとともに電気的に互いに接続された複数の負極電極板部とからなる複数の電極板部を有し、前記複数の端子板の対面方向において前記正極電極板部と前記負極電極板部とがセパレータを介して交互に並ぶ複数の電極積層体と
を備え、
前記複数の電極板部が、前記隣り合う端子板にそれぞれの一方面が接する一対の終端電極板部と、前記一対の終端電極板部の間に位置する複数の中間電極板部とを含み、
前記終端電極板部は、前記端子板に接する一方面とは反対の面に正極が設けられた片面正極電極板部、または、前記端子板に接する一方面とは反対の面に負極が設けられた片面負極電極板部であり、
前記中間電極板部は、両面に正極が設けられた両面正極電極板部、または、両面に負極が設けられた両面負極電極板部である、蓄電モジュール。
【請求項２】
前記複数の端子板のそれぞれの一方面の周縁領域に設けられた環状の第１シール部と、
前記複数の端子板の前記隣り合う端子板と、前記隣り合う端子板の間に介在する前記第１シール部とにより画成された電槽と、
前記電極積層体が配置された前記電槽内の空間を充たす電解液と
を備える、請求項１に記載の蓄電モジュール。
【請求項３】
前記第１シール部と接する前記端子板の面に粗化めっき領域が設けられている、請求項２に記載の蓄電モジュール。
【請求項４】
前記複数の端子板および複数の前記第１シールを一体的に覆う筒状の第２シール部を備える、請求項２または３に記載の蓄電モジュール。
【請求項５】
前記一対の終端電極板部の一方が前記片面正極電極板部であり、他方が前記片面負極電極板部である、請求項１〜４のいずれか一項に記載の蓄電モジュール。
【請求項６】
前記端子板を介して隣り合う一対の前記電極積層体に関し、該端子板の一方面に接する前記終端電極板部が前記片面正極電極板部であり、該端子板の他方面に接する前記終端電極板部が前記片面負極電極板部である、請求項５に記載の蓄電モジュール。
【請求項７】
前記端子板を介して隣り合う一対の前記電極積層体に関し、該端子板に接する前記終端電極板部のいずれも前記片面正極電極板部、またはいずれも前記片面負極電極板部である、請求項５に記載の蓄電モジュール。
【請求項８】
前記各正極電極板部および前記各負極電極板部が、タブ部を有する電極板の個片であり、前記複数の正極電極板部は前記タブ部が接合されたタブ接合部において互いに電気的に接続され、前記複数の負極電極板部も前記タブ部が接合されたタブ接合部において互いに電気的に接続されている、請求項１〜７のいずれか一項に記載の蓄電モジュール。
【請求項９】
前記タブ接合部が、前記端子板と前記第１シール部との間に介在し、かつ、該端子板に接している、請求項８に記載の蓄電モジュール。
【請求項１０】
前記電極積層体が、セパレータシートと、該セパレータシートの一方面側に位置する正極電極シートと、該セパレータシートの他方面側に位置する負極電極シートとによる捲回体であり、
前記正極電極シートが、セパレータシート側の面にのみ正極が設けられて前記片面正極電極板部となるべき片面正極電極部分と、両面に正極が設けられて前記両面正極電極板部となるべき両面正極電極部分とを有し、
前記負極電極シートが、セパレータシート側の面にのみ負極が設けられて前記片面負極電極板部となるべき片面負極電極部分と、両面に負極が設けられて前記両面負極電極板部となるべき両面負極電極部分とを有する、請求項１〜７のいずれか一項に記載の蓄電モジュール。
【請求項１１】
前記捲回体が、該捲回体を挟む一対の前記端子板の間において、
前記セパレータシート、前記正極電極シート、および前記負極電極シートが前記端子板に対して平行になっている平行部と、
前記セパレータシート、前記正極電極シート、および前記負極電極シートが屈曲している一対の屈曲部と
を有する、請求項１０に記載の蓄電モジュール。
【請求項１２】
前記正極電極シートの前記片面正極電極部分、および、前記負極電極シートの前記片面負極電極部分が、前記捲回体の前記平行部に位置する、請求項１１に記載の蓄電モジュール。
【請求項１３】
前記正極電極シートの前記片面正極電極部分と前記両面正極電極部分との境界、および、前記負極電極シートの前記片面負極電極部分と前記両面負極電極部分との境界が、前記捲回体の前記屈曲部に位置する、請求項１１または１２に記載の蓄電モジュール。
【請求項１４】
前記セパレータシートの少なくとも一方の端部が、前記捲回体の屈曲部に位置する、請求項１１〜１３のいずれか一項に記載の蓄電モジュール。
【請求項１５】
前記正極電極シートの前記片面正極電極部分、および、前記負極電極シートの前記片面負極電極部分が、前記捲回体の前記平行部および前記一対の屈曲部の全てに位置する、請求項１１〜１４のいずれか一項に記載の蓄電モジュール。
【請求項１６】
前記捲回体の前記屈曲部に位置する前記正極電極シートの前記片面正極電極部分および前記負極電極シートの前記片面負極電極部分の少なくとも一方と、前記捲回体とを接合する接合テープを備える、請求項１１〜１５のいずれか一項に記載の蓄電モジュール。
【請求項１７】
前記電極積層体が、セパレータシートと、該セパレータシートの一方面側に位置する正極電極シートと、該セパレータシートの他方面側に位置する負極電極シートとによる蛇腹折り構造体であり、
前記正極電極シートが、セパレータシート側の面に間欠的に正極が設けられた複数の片面正極電極部分を有し、
前記負極電極シートが、セパレータシート側の面に間欠的に負極が設けられた複数の片面負極電極部分を有する、請求項１〜７のいずれか一項に記載の蓄電モジュール。
【発明の詳細な説明】
【技術分野】
【０００１】
本発明は、蓄電モジュールに関する。
【背景技術】
【０００２】
従来、蓄電モジュールの一形態として、平行に配置された複数の隔壁の間に、正極と負極とがセパレータを介して積層された複数の電極積層体がそれぞれ配置された構成を有する蓄電モジュールが知られている。たとえば下記特許文献１には、隔壁対で画成された電槽内に、正極板と負極板とがセパレータを介して積層された電極積層体（極板群）を、電解液とともに収容した構成を有する蓄電モジュール（密閉式二次電池）が開示されている。本文献に係る蓄電モジュールにおいては、隔壁を介して隣り合う一対の電極積層体は、隔壁の上部に設けられた接続穴において互いに電気的に接続されている。具体的には、一対の電極積層体のそれぞれの配線（集電体）が隔壁の上部の接続穴まで延びて、隔壁の接続穴において両方の配線が溶接されている。
【先行技術文献】
【特許文献】
【０００３】
【特許文献１】特開２００４−１７８９０９号公報
【発明の概要】
【発明が解決しようとする課題】
【０００４】
上述した従来技術に係る蓄電モジュールにおいては、電極積層体の配線が隔壁の上部の接続穴まで延ばされており、配線にはある程度の長さが必要であるため、配線の抵抗により発電効率を十分に高めることが困難であった。
【０００５】
本発明は、発電効率の向上が図られた蓄電モジュールを提供することを目的とする。
【課題を解決するための手段】
【０００６】
本発明の一側面に係る蓄電モジュールは、導電材料で構成され、平行に対面するように配置された複数の端子板と、複数の端子板の隣り合う端子板の間にそれぞれ配置され、正極が設けられるとともに電気的に互いに接続された複数の正極電極板部と、負極が設けられるとともに電気的に互いに接続された複数の負極電極板部とからなる複数の電極板部を有し、複数の端子板の対面方向において正極電極板部と負極電極板部とがセパレータを介して交互に並ぶ複数の電極積層体とを備え、複数の電極板部が、隣り合う端子板にそれぞれの一方面が接する一対の終端電極板部と、一対の終端電極板部の間に位置する複数の中間電極板部とを含み、終端電極板部は、端子板に接する一方面とは反対の面に正極が設けられた片面正極電極板部、または、端子板に接する一方面とは反対の面に負極が設けられた片面負極電極板部であり、中間電極板部は、両面に正極が設けられた両面正極電極板部、または、両面に負極が設けられた両面負極電極板部である。
【０００７】
上記蓄電モジュールは、複数の正極電極板部が並列接続され、かつ、複数の負極電極板部も並列接続された構成を有するため、端子板の面積に比べて、電極面積の拡大が図られている。また、各電極積層体の各終端電極板部の一方面が隣り合う端子板に面が接することにより、電極積層体と端子板とが電気的に接続されており、端子板を介して隣り合う一対の電極積層体同士の電気的接続には端子板のみが介在している。すなわち、一対の電極積層体同士の電気的接続に配線は用いられておらず、配線の抵抗により発電効率の向上が阻害されることがない。
【０００８】
本発明の他の側面に係る蓄電モジュールは、複数の端子板のそれぞれの一方面の周縁領域に設けられた環状の第１シール部と、複数の端子板の隣り合う端子板と、隣り合う端子板の間に介在する第１シール部とにより画成された電槽と、電極積層体が配置された電槽内の空間を充たす電解液とを備える。
【０００９】
本発明の他の側面に係る蓄電モジュールは、第１シール部と接する端子板の面に粗化めっき領域が設けられている。
【００１０】
本発明の他の側面に係る蓄電モジュールは、複数の端子板および複数の第１シールを一体的に覆う筒状の第２シール部を備える。
【００１１】
本発明の他の側面に係る蓄電モジュールは、一対の終端電極板部の一方が片面正極電極板部であり、他方が片面負極電極板部である。
【００１２】
本発明の他の側面に係る蓄電モジュールは、端子板を介して隣り合う一対の電極積層体に関し、該端子板の一方面に接する終端電極板部が片面正極電極板部であり、該端子板の他方面に接する終端電極板部が片面負極電極板部である。
【００１３】
本発明の他の側面に係る蓄電モジュールは、端子板を介して隣り合う一対の電極積層体に関し、該端子板に接する終端電極板部のいずれも片面正極電極板部、またはいずれも片面負極電極板部である。
【００１４】
本発明の他の側面に係る蓄電モジュールは、各正極電極板部および各負極電極板部が、タブ部を有する電極板の個片であり、複数の正極電極板部はタブ部が接合されたタブ接合部において互いに電気的に接続され、複数の負極電極板部もタブ部が接合されたタブ接合部において互いに電気的に接続されている。
【００１５】
本発明の他の側面に係る蓄電モジュールは、タブ接合部が、端子板と第１シール部との間に介在し、かつ、該端子板に接している。
【００１６】
本発明の他の側面に係る蓄電モジュールは、電極積層体が、セパレータシートと、該セパレータシートの一方面側に位置する正極電極シートと、該セパレータシートの他方面側に位置する負極電極シートとによる捲回体であり、正極電極シートが、セパレータシート側の面にのみ正極が設けられて片面正極電極板部となるべき片面正極電極部分と、両面に正極が設けられて両面正極電極板部となるべき両面正極電極部分とを有し、負極電極シートが、セパレータシート側の面にのみ負極が設けられて片面負極電極板部となるべき片面負極電極部分と、両面に負極が設けられて両面負極電極板部となるべき両面負極電極部分とを有する。
【００１７】
本発明の他の側面に係る蓄電モジュールは、捲回体が、該捲回体を挟む一対の端子板の間において、セパレータシート、正極電極シート、および負極電極シートが端子板に対して平行になっている平行部と、セパレータシート、正極電極シート、および負極電極シートが屈曲している一対の屈曲部とを有する。
【００１８】
本発明の他の側面に係る蓄電モジュールは、正極電極シートの片面正極電極部分、および、負極電極シートの片面負極電極部分が、捲回体の平行部に位置する。
【００１９】
本発明の他の側面に係る蓄電モジュールは、正極電極シートの片面正極電極部分と両面正極電極部分との境界、および、負極電極シートの片面負極電極部分と両面負極電極部分との境界が、捲回体の屈曲部に位置する。
【００２０】
本発明の他の側面に係る蓄電モジュールは、セパレータシートの少なくとも一方の端部が、捲回体の屈曲部に位置する。
【００２１】
本発明の他の側面に係る蓄電モジュールは、正極電極シートの片面正極電極部分、および、負極電極シートの片面負極電極部分が、捲回体の平行部および一対の屈曲部の全てに位置する。
【００２２】
本発明の他の側面に係る蓄電モジュールは、捲回体の屈曲部に位置する正極電極シートの片面正極電極部分および負極電極シートの片面負極電極部分の少なくとも一方と、捲回体とを接合する接合テープを備える。
【００２３】
本発明の他の側面に係る蓄電モジュールは、電極積層体が、セパレータシートと、該セパレータシートの一方面側に位置する正極電極シートと、該セパレータシートの他方面側に位置する負極電極シートとによる蛇腹折り構造体であり、正極電極シートが、セパレータシート側の面に間欠的に正極が設けられた複数の片面正極電極部分を有し、負極電極シートが、セパレータシート側の面に間欠的に負極が設けられた複数の片面負極電極部分を有する。
【発明の効果】
【００２４】
本発明によれば、発電効率の向上が図られた蓄電モジュールが提供される。
【図面の簡単な説明】
【００２５】
【図１】実施形態に係る蓄電モジュールを備える蓄電装置を示す概略斜視図である。
【図２】図１の蓄電装置を構成する蓄電モジュールを示す概略斜視図である。
【図３】図２の蓄電モジュールを構成する電池セルを示した概略斜視図である。
【図４】図３の電池セルの分解斜視図である。
【図５】図２の蓄電モジュールのＶ−Ｖ線断面図である。
【図６】図２の蓄電モジュールのＶＩ−ＶＩ線断面図である。
【図７】異なる態様の電極積層体を示した図である。
【図８】捲回体の電極積層体の一態様を示した図である。
【図９】図８の電極積層体を形成する方法を示した図である。
【図１０】図８とは異なる態様の捲回体の電極積層体を示した図である。
【図１１】蛇腹折り構造体の電極積層体の一態様を示した図である。
【発明を実施するための形態】
【００２６】
以下、添付図面を参照しながら本発明の実施形態が詳細に説明される。図面の説明において、同一又は同等の要素には同一符号が用いられ、重複する説明は省略される。
【００２７】
図１を参照して、実施形態に係る蓄電モジュールが適用される蓄電装置について説明する。図１に示される蓄電装置１は、例えばフォークリフト、ハイブリッド自動車、電気自動車等の各種車両のバッテリとして用いられる。蓄電装置１は、複数（本実施形態では４０）の蓄電モジュール２を備える。蓄電モジュール２は、例えばニッケル水素二次電池、リチウムイオン二次電池等の二次電池であるが、電気二重層キャパシタであってもよい。以下の説明では、ニッケル水素二次電池を例示する。
【００２８】
複数の蓄電モジュール２は、その一つ一つが蓄電要素であり、電気的に直列に接続されている。複数の蓄電モジュール２はいずれも同一の外形を有し、板状の外形を有する。複数の蓄電モジュール２は、図１に示すように積層されており、積層体３を構成している。各蓄電モジュール２は、積層体３の積層方向から見て長方形状を呈し、本実施形態では長方形板状の外形を有する。なお、積層体３の両端には、蓄電装置１の充放電に用いられる正極端子および負極端子（図示せず）が取り付けられている。
【００２９】
蓄電装置１は、蓄電モジュール２の積層体３を積層方向に拘束する拘束部材を備え得る。本実施形態では、蓄電装置１は、拘束部材として、一対の拘束プレート５Ａ、５Ｂと、拘束プレート５Ａ、５Ｂ同士を連結する複数の連結部材６（たとえば、ボルト−ナット）とを備える。各拘束プレート５Ａ、５Ｂは、例えば鉄等の金属によって構成される。各拘束プレート５Ａ、５Ｂは、積層体３の積層方向から見て、蓄電モジュール２よりも寸法が大きい長方形状を呈し、本実施形態では長方形板状の外形を有する。複数の連結部材６は、積層体３の積層方向から見て、蓄電モジュール２よりも外側となる位置に設けられている。複数の連結部材６は、具体的には、拘束プレート５Ａ、５Ｂの縁部に対応する位置に設けられ、拘束プレート５Ａ、５Ｂの四隅それぞれに対応する位置にも設けられている。一対の拘束プレート５Ａ、５Ｂおよび複数の連結部材６により、蓄電モジュール２の積層体３には積層方向に沿う拘束荷重が付加される。
【００３０】
次に、図２〜６を参照して、蓄電装置１を構成する蓄電モジュール２について説明する。図２に示すように、蓄電モジュール２は、複数（本実施形態では６つ）の電池セル１０と、外側シール部１２（第２シール部）とを備えて構成されている。複数の電池セル１０はいずれも、図３に示すように長方形板状の外形を有する。蓄電モジュール２において、複数の電池セル１０は積層されている。外側シール部１２は、筒状の形状を有し、各電池セル１０の縁を一体的に覆っている。外側シール部１２には、各電池セル１０の縁の一部を露出させる孔１２ａが設けられている。孔１２ａは、後述する電池セル１０の内側シール部２１と協働して、蓄電モジュール２内の内圧に応じて開閉する圧力調整弁（たとえば内圧が所定値を超えたときに開くガス抜き安全弁）として機能し得る。蓄電モジュール２には、孔１２ａと連通するように圧力調整ユニットが設けられ、圧力調整ユニットが孔１２ａの圧力調整弁としての機能を補助または補完する。孔１２ａを、蓄電モジュール２の内部空間Ｖへ電解液を注入するための注液口として用いられ得る。
【００３１】
各電池セル１０は、端子板２０と、内側シール部２１（第１シール部）と、電極積層体２２とを備えて構成されている。
【００３２】
端子板２０は、導電材料で構成された長方形板状の部材であり、本実施形態では鋼板で構成されている。
【００３３】
内側シール部２１は、端子板２０の一方面の周縁領域に設けられており、長方形環状の形状を有する。内側シール部２１は、樹脂材料で構成されており、たとえばポリプロピレン（ＰＰ）、ポリフェニレンサルファイド（ＰＰＳ）、又は変性ポリフェニレンエーテル（変性ＰＰＥ）等で構成することができる。内側シール部２１と接する端子板２０の面には粗化めっき領域２０ａが設けられている。粗化めっき領域２０ａは、端子板２０の表面に粗化めっき処理が施された領域である。粗化めっき領域２０ａでは、電解メッキ処理により形成された複数の略球状の析出金属が設けられており、これらの析出金属が互いに重複して突起を構成している。
【００３４】
電極積層体２２は、セパレータ２３を介して積層方向に並ぶ複数（本実施形態では６つ）の電極板部２４、２５を有する。複数の電極板部２４、２５は、複数（本実施形態では３つ）の正極電極板部２４と、複数（本実施形態では３つ）の負極電極板部２５とからなる。電極積層体２２は、正極電極板部２４と負極電極板部２５とがセパレータ２３を介して交互に並ぶ構成を有する。複数の電極板部２４、２５はいずれも、長方形板状の形状を有する。
【００３５】
複数の正極電極板部２４はいずれも、長方形状の集電板に正極が設けられた個片の電極板である。本実施形態においては、各正極電極板部２４は、たとえばニッケルからなる金属箔に、正極活物質が塗工された構成を有する。正極を構成する正極活物質としては、たとえば水酸化ニッケルが挙げられる。複数の正極電極板部２４において、集電板の一方の短辺領域は正極活物質が塗工されない未塗工領域であり、その領域がタブ部２４ａとなっている。複数の正極電極板部２４は、それぞれのタブ部２４ａにおいて互いに接合されて、接合部２４ｂ（タブ接合部）が形成されている。タブ部２４ａの接合は、たとえば溶接によりおこなわれる。
【００３６】
複数の正極電極板部２４は、片面正極電極板部２４Ａと両面正極電極板部２４Ｂとで構成されている。片面正極電極板部２４Ａは、電極積層体２２を構成する複数の電極板部２４、２５のうちで最も端子板２０に近い位置にある終端電極板部である。片面正極電極板部２４Ａでは、一方面には正極が設けられておらず、正極が設けられていない一方面において端子板２０に接している。片面正極電極板部２４Ａでは、他方面（端子板２０に接する一方面とは反対の面）にのみ正極が設けられている。両面正極電極板部２４Ｂは、負極電極板部２５に挟まれた位置にある中間電極板部であり、両面に正極が設けられている。
【００３７】
複数の負極電極板部２５はいずれも、長方形状の集電板に負極が設けられた個片の電極板である。本実施形態においては、各負極電極板部２５は、たとえばニッケルからなる金属箔に、負極活物質が塗工された構成を有する。負極を構成する負極活物質としては、例えば水素吸蔵合金が挙げられる。複数の負極電極板部２５において、正極電極板部２４のタブ部２４ａが設けられた短辺領域とは反対側に位置する集電板の短辺領域は、負極活物質が塗工されない未塗工領域であり、その領域がタブ部２５ａとなっている。複数の負極電極板部２５は、それぞれのタブ部２５ａにおいて互いに接合されて、接合部２５ｂ（タブ接合部）が形成されている。タブ部２５ａの接合は、タブ部２４ａの接合同様、たとえば溶接によりおこなわれる。
【００３８】
複数の負極電極板部２５は、片面負極電極板部２５Ａと両面負極電極板部２５Ｂとで構成されている。片面負極電極板部２５Ａは、電極積層体２２を構成する複数の電極板部２４、２５のうちで最も端子板２０から遠い位置にある終端電極板部である。片面負極電極板部２５Ａでは、一方面には負極が設けられておらず、負極が設けられていない一方面において、隣接する電池セル１０の端子板２０（図４では図示せず）に接している。片面負極電極板部２５Ａでは、他方面（隣接する電池セル１０の端子板２０に接する一方面とは反対の面）にのみ負極が設けられている。両面負極電極板部２５Ｂは、正極電極板部２４に挟まれた位置にある中間電極板部であり、両面に負極が設けられている。
【００３９】
上述した電極積層体２２においては、複数の正極電極板部２４が並列接続され、かつ、複数の負極電極板部２５も並列接続された構成を有するため、端子板２０の面積に比べて、電極面積の拡大（本実施形態では３倍の面積拡大）が図られている。また、電極積層体２２は、片面正極電極板部２４Ａによって、積層方向に関する一方面が正極電極となっており、片面負極電極板部２５Ａによって、積層方向に関する他方面が負極電極となっている。
【００４０】
各セパレータ２３は、長方形シート状の形状を有する個片のシートである。電極積層体２２の積層方向から見て、各セパレータ２３の寸法は、正極電極板部２４に設けられた正極や負極電極板部２５に設けられた負極と同程度とすることができる。セパレータ２３の構成材料としては、ポリエチレン（ＰＥ）、ポリプロピレン（ＰＰ）等のポリオレフィン系樹脂からなる多孔質フィルム、ポリプロピレン等からなる織布又は不織布等が挙げられる。また、セパレータ２３は、フッ化ビニリデン樹脂化合物等で補強されたものであってもよい。セパレータ２３は、シート状以外に、たとえばタブ部２４ａ以外の正極電極板部２４を包むように構成された袋状であってもよい。
【００４１】
各電池セル１０は、さらにスペーサ２６を備えている。スペーサ２６は、内側シール部２１を介して端子板２０の一方面の周縁領域に設けられており、長方形環状の形状を有する。スペーサ２６は、たとえばＰＰ（ポリプロピレン）等の樹脂材料で構成されている。スペーサ２６は、電極積層体２２の積層方向において負極電極板部２５のタブ部２５ａの接合部２５ｂと重なるように、負極電極板部２５のタブ部２５ａが設けられた短辺領域に対応する短辺部分が幅広に設計されている。なお、スペーサ２６は、正極電極板部２４のタブ部２４ａの接合部２４ｂが設けられた短辺領域に対応する短辺部分は幅広になっておらず、電極積層体２２の積層方向において正極電極板部２４のタブ部２４ａの接合部２４ｂとは重ならない。
【００４２】
蓄電モジュール２は、図５、６に示すように、上述した電池セル１０が同じ向きで複数積層された構成を有する。そのため、蓄電モジュール２は、複数の端子板２０を有し、複数の端子板２０は平行に対面するように配置される。なお、本実施形態では、蓄電モジュール２の積層方向における両端に端子板２０が配置されるように、単体の端子板２０が一枚追加されている。隣り合う端子板２０の間には、両端子板２０に挟まれるようにして、電極積層体２２が配置されている。このとき、端子板２０の対面方向と電極積層体２２の積層方向とは同じ方向になっている。
【００４３】
蓄電モジュール２では、隣り合う端子板２０と内側シール部２１とによって複数（本実施形態では６つ）の電槽Ｓが画成されている。各電槽Ｓ内に、上述した電極積層体２２が収容されており、かつ、電極積層体２２が収容された電槽Ｓ内の空間が電解液で充たされている。電解液は、例えば水酸化カリウム水溶液等のアルカリ溶液である。
【００４４】
蓄電モジュール２では、端子板２０が導電材料で構成されているため、電極積層体２２の終端電極板部とその隣の電極積層体２２の終端電極板部とが、それらの間に介在する端子板２０において電気的に接続される。本実施形態では、電極積層体２２の片面正極電極板部２４Ａと、その隣の電極積層体２２の片面負極電極板部２５Ａとが、それらの間に介在する端子板２０において電気的に直列接続されている。換言すると、電極積層体２２同士の電気的接続には端子板２０のみが介在している。したがって、蓄電モジュール２では、電極積層体２２同士の電気的接続に従来技術で用いられる配線を必要とせず、配線の抵抗により発電効率の向上が阻害されることがない。そのため、蓄電モジュール２においては、高い発電効率を実現することができる。
【００４５】
また、電極積層体２２同士を電気的に接続する際、従来技術のように端子板に接続穴を設けたり配線を引き延ばしたりする必要がないため、蓄電モジュール２の構成を簡素化することもできるとともに接続作業の手間や時間が省かれる。
【００４６】
さらに、蓄電モジュール２では、電極積層体２２同士の電気的接続に配線を必要としないため、配線が断線して発電できなくなる事態も回避されている。
【００４７】
蓄電モジュール２では、図６に示すように、負極電極板部２５のタブ部２５ａの接合部２５ｂは、片面負極電極板部２５Ａが接する端子板２０と内側シール部２１との間に介在しており、片面負極電極板部２５Ａが接する端子板２０に接合部２５ｂが接している。具体的には、片面負極電極板部２５Ａが接する端子板２０と内側シール部２１との間に介在するスペーサ２６が、接合部２５ｂを片面負極電極板部２５Ａ側に付勢している。
【００４８】
また、蓄電モジュール２では、内側シール部２１と接する端子板２０の面に粗化めっき領域２０ａが設けられているため、隣り合う電槽Ｓの間で端子板２０を伝って電解液が浸出する事態が生じた場合であっても、粗化めっき領域２０ａに設けられた析出金属の突起により浸出ルートの延長が図られているため、隣り合う電槽Ｓの間において短絡が生じる事態が有意に抑制されている。
【００４９】
なお、上述した電極板部２４、２５の枚数は、適宜増減することができる。電極板部２４、２４の枚数が偶数（すなわち、正極電極板部２４と負極電極板部２５とが同数）の場合、電極積層体２２の一方端に片面正極電極板部２４Ａが位置し、他方端に片面負極電極板部２５Ａが位置する。電極板部２４、２４の枚数が奇数（すなわち、正極電極板部２４および負極電極板部２５のいずれか一方が１枚多い）の場合、電極積層体２２の両端に片面正極電極板部２４Ａが位置する、または、電極積層体２２の両端に片面負極電極板部２５Ａが位置する。
【００５０】
電極板部２４、２５のタブ部２４ａ、２５ａは、必ずしも集電板の短辺領域に設ける必要はなく、その他の領域であってもよい。たとえば、図７（ａ）に示すように、タブ部２４ａ、２５ａを集電板の対向する長辺領域のそれぞれに設けることができる。この場合、集電板の一方の長辺側においてタブ部２４ａ同士が接合され、集電板の他方の長辺側においてタブ部２５ａ同士が接合される。また、図７（ｂ）に示すように、タブ部２４ａ、２５ａを集電板の一方の長辺領域に設けることもできる。この場合、タブ部２４ａとタブ部２５ａとが重ならないように、タブ部２４ａの形成領域とタブ部２５ａの形成領域とを長辺方向に関してずらしている。集電板の一方の長辺側においてタブ部２４ａ同士が接合されるとともにタブ部２５ａ同士も接合される。
【００５１】
蓄電モジュール２の電極積層体２２は、上述した積層構造を有するものに限らず、図８〜１０に示すような捲回体の電極積層体１２２、２２２であってもよい。
【００５２】
図８に示す電極積層体１２２は、セパレータシート１２３と、セパレータシート１２３の一方面側に位置する正極電極シート１２４と、セパレータシート１２３の他方面側に位置する負極電極シート１２５とによる捲回体の構成を有する。
【００５３】
正極電極シート１２４は、１枚のシート状の集電板に正極が設けられた構成を有し、セパレータシート１２３側の面にのみ正極が設けられた片面正極電極部分１２４Ａと、両面に正極が設けられた両面正極電極部分１２４Ｂとを有する。電極積層体１２２の片面正極電極部分１２４Ａは、上述した電極積層体２２の終端電極板部（片面正極電極板部２４Ａ）と同様に機能し、正極が設けられていない面において端子板２０に接している。電極積層体１２２の両面正極電極部分１２４Ｂは、上述した電極積層体２２の中間電極板部（両面正極電極板部２４Ｂ）と同様に機能する。
【００５４】
負極電極シート１２５は、１枚のシート状の集電板に負極が設けられた構成を有し、セパレータシート１２３側の面にのみ負極が設けられた片面負極電極部分１２５Ａと、両面に負極が設けられた両面負極電極部分１２５Ｂとを有する。電極積層体１２２の片面負極電極部分１２５Ａは、上述した電極積層体２２の終端電極板部（片面負極電極板部２５Ａ）と同様に機能し、正極が設けられていない面において端子板２０に接している。電極積層体１２２の両面負極電極部分１２５Ｂは、上述した電極積層体２２の中間電極板部（両面負極電極板部２５Ｂ）と同様に機能する。
【００５５】
すなわち、電極積層体１２２は、上述した電極積層体２２の複数の電極板部２４、２５と同様の機能を有する複数の電極板部（正極電極シート１２４の片面正極電極部分１２４Ａおよび両面正極電極部分１２４Ｂ、ならびに、負極電極シート１２５の片面負極電極部分１２５Ａおよび両面負極電極部分１２５Ｂ）を有するものとみなすことができる。
【００５６】
電極積層体１２２は、図９に示すように、セパレータシート１２３を介して端部同士が重なるようにして隣り合わせに配置した正極電極シート１２４と負極電極シート１２５とを、端部同士が重なった箇所周りに捲くことで得られる。
【００５７】
電極積層体１２２は、電極積層体１２２を挟む一対の端子板２０の間において、平行部Ｔ１の領域と一対の屈曲部Ｔ２、Ｔ３の領域とを有する。
【００５８】
平行部Ｔ１の領域では、セパレータシート１２３、正極電極シート１２４、および負極電極シート１２５がいずれも端子板２０に対して平行になっている。一方、各屈曲部Ｔ２、Ｔ３の領域では、セパレータシート１２３、正極電極シート１２４、および負極電極シート１２５がいずれも屈曲している。
【００５９】
電極積層体１２２では、正極電極シート１２４の片面正極電極部分１２４Ａは平行部Ｔ１の領域に位置し、正極電極シート１２４は平行部Ｔ１の領域内で終端している。また、負極電極シート１２５の片面負極電極部分１２５Ａも平行部Ｔ１の領域に位置し、負極電極シート１２５も平行部Ｔ１の領域内で終端している。
【００６０】
また、電極積層体１２２では、正極電極シート１２４の片面正極電極部分１２４Ａと両面正極電極部分１２４Ｂとの境界１２４ａは、屈曲部Ｔ３の領域に位置している。また、負極電極シート１２５の片面負極電極部分１２５Ａと両面負極電極部分１２５Ｂとの境界１２５ａは、正極電極シート１２４の境界１２４ａが位置する屈曲部Ｔ２とは異なる屈曲部Ｔ２に位置している。
【００６１】
図１０に示す電極積層体２２２は、図８に示した電極積層体１２２同様、セパレータシート２２３と、セパレータシート２２３の一方面側に位置する正極電極シート２２４と、セパレータシート２２３の他方面側に位置する負極電極シート２２５とによる捲回体の構成を有する。
【００６２】
電極積層体２２２は、電極積層体１２２とは、正極電極シート２２４および負極電極シート２２５の終端位置が異なる。すなわち、電極積層体２２２では、正極電極シート２２４の片面正極電極部分２２４Ａは、平行部Ｔ１の領域において端子板２０と接しているが、正極電極シート２２４の片面正極電極部分２２４Ａの端部２２４ｂは屈曲部Ｔ２の領域に位置している。具体的には、正極電極シート２２４の片面正極電極部分２２４Ａは、屈曲部Ｔ３の領域から平行部Ｔ１の領域を通過して屈曲部Ｔ２の領域まで延びている。また、負極電極シート２２５の片面負極電極部分２２５Ａは平行部Ｔ１の領域において端子板２０と接しているが、負極電極シート２２５の片面負極電極部分２２５Ａの端部２２５ｂは屈曲部Ｔ３の領域に位置している。具体的には、負極電極シート２２５の片面負極電極部分２２５Ａは、屈曲部Ｔ２の領域から平行部Ｔ１の領域を通過して屈曲部Ｔ３の領域まで延びている。
【００６３】
電極積層体２２２は、正極電極シート２２４の端部２２４ｂおよび負極電極シート２２５の端部２２５ｂと、捲回体本体とを接合する一対の接合テープ２２６を備えている。一対の接合テープ２２６はいずれも電極積層体２２２の屈曲部Ｔ２、Ｔ３の領域内に位置している。
【００６４】
電極積層体２２２では、電極積層体１２２同様、正極電極シート２２４の片面正極電極部分２２４Ａと両面正極電極部分２２４Ｂとの境界２２４ａは、屈曲部Ｔ３の領域に位置している。また、負極電極シート２２５の片面負極電極部分２２５Ａと両面負極電極部分２２５Ｂとの境界２２５ａは、正極電極シート２２４の境界２２４ａが位置する屈曲部Ｔ２とは異なる屈曲部Ｔ２に位置している。
【００６５】
電極積層体１２２、２２２は、上述した電極積層体２２と同一または同等の効果を奏する。その上、電極積層体１２２、２２２においては、上述した電極積層体２２のように電極板部２４、２５のタブ部２４ａ、２５ａ同士を接合する必要がなく、また部品点数が抑えられるため、簡素な構成とすることができる。さらに、電極積層体１２２、２２２においては、タブ部２４ａ、２５ａを省略することで、隣り合う電極板部の電気的な接続経路を短くなっており、高い集電効率を得ることができる。
【００６６】
なお、上述した電極板部２４、２５の枚数は、適宜増減することができる。電極板部２４、２４の枚数が偶数（すなわち、正極電極板部２４と負極電極板部２５とが同数）の場合、電極積層体２２の一方端に片面正極電極板部２４Ａが位置し、他方端に片面負極電極板部２５Ａが位置する。電極板部２４、２４の枚数が奇数（すなわち、正極電極板部２４および負極電極板部２５のいずれか一方が１枚多い）の場合、電極積層体２２の両端に片面正極電極板部２４Ａが位置する、または、電極積層体２２の両端に片面負極電極板部２５Ａが位置する。
【００６７】
また、蓄電モジュール２の電極積層体２２は、図１１に示すような蛇腹折り構造体であってもよい。
【００６８】
図１１に示す電極積層体３２２は、セパレータシート３２３と、セパレータシート３２３の一方面側に位置する正極電極シート３２４と、セパレータシート３２３の他方面側に位置する負極電極シート３２５とによる蛇腹折り構造体の構成を有する。
【００６９】
正極電極シート３２４は、１枚のシート状の集電板に正極が設けられた構成を有し、セパレータシート３２３側の面に間欠的に正極が設けられた複数の片面正極電極部分３２４Ａを有する。正極電極シート３２４では、折り返し部３２４ａを挟んで隣り合う一対の片面正極電極部分３２４Ａにより両面正極電極部分３２４Ｂが構成されている。電極積層体３２２において、端子板２０に接する片面正極電極部分３２４Ａは、上述した電極積層体２２の終端電極板部（片面正極電極板部２４Ａ）と同様に機能する。電極積層体３２２の両面正極電極部分３２４Ｂは、上述した電極積層体２２の中間電極板部（両面正極電極板部２４Ｂ）と同様に機能する。
【００７０】
負極電極シート３２５は、１枚のシート状の集電板に負極が設けられた構成を有し、セパレータシート３２３側の面に間欠的に負極が設けられた複数の片面負極電極部分３２５Ａを有する。負極電極シート３２５では、折り返し部３２５ａを挟んで隣り合う一対の片面負極電極部分３２５Ａにより両面負極電極部分３２５Ｂが構成されている。電極積層体３２２において、端子板２０に接する片面負極電極部分３２５Ａは、上述した電極積層体２２の終端電極板部（片面負極電極板部２５Ａ）と同様に機能する。電極積層体３２２の両面負極電極部分３２５Ｂは、上述した電極積層体２２の中間電極板部（両面負極電極板部２５Ｂ）と同様に機能する。
【００７１】
すなわち、電極積層体３２２は、上述した電極積層体２２の複数の電極板部２４、２５と同様の機能を有する複数の電極板部（正極電極シート３２４の片面正極電極部分３２４Ａおよび両面正極電極部分３２４Ｂ、ならびに、負極電極シート３２５の片面負極電極部分３２５Ａおよび両面負極電極部分３２５Ｂ）を有するものとみなすことができる。
【００７２】
電極積層体３２２は、上述した電極積層体１２２、２２２と同一または同等の効果を奏する。その上、電極積層体３２２においては、上述した電極積層体２２のように電極板部２４、２５のタブ部２４ａ、２５ａ同士を接合する必要がなく、また部品点数が抑えられるため、簡素な構成とすることができる。さらに、電極積層体３２２においては、タブ部２４ａ、２５ａを省略することで、隣り合う電極板部の電気的な接続経路を短くなっており、高い集電効率を得ることができる。
【００７３】
なお、上述した正極電極シート３２４の両面正極電極部分３２４Ｂの数および負極電極シート３２５の両面負極電極部分３２５Ｂの数（すなわち、蛇腹折り回数の数）は、適宜増減することができる。正極電極シート３２４の両面正極電極部分３２４Ｂの数および負極電極シート３２５の両面負極電極部分３２５Ｂの数が同数（すなわち、蛇腹折り回数が偶数回）の場合、電極積層体３２２の一方端に片面正極電極部分３２４Ａが位置し、他方端に片面負極電極部分３２５Ａが位置する。一方、正極電極シート３２４の両面正極電極部分３２４Ｂの数と負極電極シート３２５の両面負極電極部分３２５Ｂの数とが異なる（すなわち、蛇腹折り回数が奇数回）場合、電極積層体３２２の両端に片面正極電極部分３２４Ａが位置する、または、電極積層体３２２の両端に片面負極電極部分３２５Ａが位置する。
【００７４】
なお、本発明は、上述した実施形態に限定されず、様々な態様を取り得る。
【００７５】
上記実施形態では、蓄電装置がニッケル水素二次電池の例を挙げて説明したが、蓄電装置はリチウムイオン二次電池であってもよい。この場合、正極活物質は、例えば複合酸化物、金属リチウム、硫黄等である。負極活物質は、例えば黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素等である。
【符号の説明】
【００７６】
１…蓄電装置、２…蓄電モジュール、１０…電池セル、１２…外側シール部、２０…端子板、２０ａ…粗化めっき領域、２１…内側シール部、２２、１２２、２２２、３２２…電極積層体、２３…セパレータ、２４…正極電極板部、２４ａ…タブ部、２４ｂ…接合部、２５…負極電極板部、２５ａ…タブ部、２５ｂ…接合部、２６…スペーサ、１２３、２２３、３２３…セパレータシート、１２４、２２４、３２４…正極電極シート、１２４Ａ、２２４Ａ、３２４Ａ…片面正極電極部分、１２４Ｂ、２２４Ｂ、３２４Ｂ…両面正極電極部分、１２５、２２５、３２５…負極電極シート、１２５Ａ、２２５Ａ、３２５Ａ…片面負極電極部分、１２５Ｂ、２２５Ｂ、３２５Ｂ…両面負極電極部分、Ｓ…電槽。
【図１】
2019200885.tif 000003
【図２】
2019200885.tif 000004
【図３】
2019200885.tif 000005
【図４】
2019200885.tif 000006
【図５】
2019200885.tif 000007
【図６】
2019200885.tif 000008
【図７】
2019200885.tif 000009
【図８】
2019200885.tif 000010
【図９】
2019200885.tif 000011
【図１０】
2019200885.tif 000012
【図１１】
2019200885.tif 000013